【手続補正書】
【提出日】令和1年6月1日(2019.6.1)
【手続補正１】
【補正対象書類名】特許請求の範囲
【補正対象項目名】全文
【補正方法】変更
【補正の内容】
【特許請求の範囲】
【請求項１】
複数の入れ子式管部を有する入れ子式マスト用のラッチアセンブリであって、
付随する第１の管部に取り付けられた第１のラッチ部材と、
付随する第２の管部に取り付けられた第２のラッチ部材であって、前記付随する第１の管部が前記付随する第２の管部から少なくとも部分的に延長された際に前記第１のラッチ部材に選択的に係合して前記付随する第１の管部および前記付随する第２の管部をインターロックするように構成されているものである、前記第２のラッチ部材と、
付随する第３の管部に取り付けられたトリガー部材と
を有し、
前記第２のラッチ部材は、
前記付随する第２の管部が前記付随する第３の管部内に引き込まれた際にトリガー支柱を受容するように構成された開口部を有するラッチハウジングと、
前記ラッチハウジングに支持され、ロック解除位置と、前記第１のラッチ部材と係合して前記付随する第１の管部および前記付随する第２の管部をインターロックするロック位置との間で枢動するロック部材と、
前記ラッチハウジングに支持され、前記ロック部材が前記ロック位置から移動することを制限する係合位置と係合解除位置との間で枢動する入れ子ロックバーと
を含み、
前記ロック部材は、前記付随する第１の管部が前記付随する第２の管部から延長されて前記付随する第１の管部が前記付随する第２の管部にインターロックされたとき、前記第１のラッチ部材により前記ロック解除位置から前記ロック位置に移動自在であり、
前記ロック部材は、前記付随する第１の管部が前記付随する第２の管部内に引き込まれた際に、前記第１のラッチ部材により前記ロック位置から前記ロック解除位置に移動自在であり、
前記入れ子ロックバーは、前記付随する第２の管部が付随する第３の管部から延長された時点で、前記係合位置に付勢され、前記トリガー支柱により前記係合位置に移動自在であり、
前記入れ子ロックバーは、前記係合位置にあるとき、前記ロック部材が前記ロック位置から移動することを制限するように構成されているものであり、
前記付随する第２の管部が前記付随する第３の管部内に引き込まれた時点で、前記入れ子ロックバーは、前記トリガー支柱により前記係合解除位置に移動自在となり、それにより、前記付随する第１の管部が前記付随する第２の管部内に引き込まれるとき、前記ロック部材は前記ロック解除位置に移動することが可能となるものである、
ラッチアセンブリ。
【請求項２】
請求項１記載のラッチアセンブリにおいて、さらに、
前記ロック部材に連結され、前記ロック部材とともに移動するスライド式入れ子ロック部材を有し、当該スライド式入れ子ロック部材は、前記ロック部材が前記ロック位置にあるときにロック解除位置となり、前記ロック部材が前記ロック解除位置にあり前記第２の管部が前記第３の管部に完全に引き込まれた際にロック位置となるように構成されているものであり、
前記スライド式入れ子ロック部材は、前記ラッチハウジング内で直線的にスライド移動するように支持され、前記ロック位置にあるとき前記トリガー部材に係合するように構成されているものである、
ラッチアセンブリ。
【請求項３】
請求項１または２記載のラッチアセンブリにおいて、前記ロック部材は、前記ロック解除位置に向かって付勢されるものである、ラッチアセンブリ。
【請求項４】
請求項１〜３のいずれか１つに記載のラッチアセンブリにおいて、前記入れ子ロックバーは、前記係合解除位置に向かって付勢されるものである、ラッチアセンブリ。
【請求項５】
請求項１〜４のいずれか１つに記載のラッチアセンブリにおいて、前記ラッチハウジングは、当該ラッチハウジングを前記付随する第２の管部に固定する取り付け用フランジを含むものである、ラッチアセンブリ。
【請求項６】
請求項１〜５のいずれか１つに記載のラッチアセンブリにおいて、前記ラッチハウジングは、さらに、第２のトリガー部材を含むものであり、
前記トリガー部材は、隣接した付随する管部に取り付けられたラッチ部材のスライド式入れ子ロック部材を受容するアパーチャを含むものである、
ラッチアセンブリ。
【請求項７】
入れ子式マストであって、
複数の入れ子式管部と、
第１の管部に取り付けられた第１のラッチ部材と、
第２の管部に取り付けられた第２のラッチ部材であって、前記第１の管部は前記第２の管部内に入れ子式に受容されるように構成されているものである、前記第２のラッチ部材と、
第３の管部に取り付けられたトリガー部材であって、前記第１および第２の管部は前記第３の管部内に入れ子式に受容されるように構成されているものである、前記トリガー部材と
を有し、
前記第２のラッチ部材は、
付随する前記第２の管部が付随する前記第３の管部内に引き込まれた際に前記トリガー部材を受容するように構成された開口部を有するラッチハウジングと、
前記ラッチハウジングに支持され、ロック解除位置と、前記第１のラッチ部材と係合して前記第１の管部および前記第２の管部を延長された配置構成でインターロックするロック位置との間で枢動するロック部材と、
前記ラッチハウジングに支持され、前記ロック部材が前記ロック位置から移動することを制限する係合位置と係合解除位置との間で枢動する入れ子ロックバーと
を含み、
前記ロック部材は、前記第１の管部が前記第２の管部から延長されて前記第１の管部が延長した配置構成で前記第２の管部にインターロックされたとき、前記第１のラッチ部材により前記ロック解除位置から前記ロック位置に移動自在であり、
前記ロック部材は、前記第１の管部が前記第２の管部内に引き込まれた際に、前記第１のラッチ部材により前記ロック位置から前記ロック解除位置に移動自在であり、
前記入れ子ロックバーは、前記第２の管部が前記第３の管部から延長された時点で、前記係合位置に付勢され、前記トリガー部材により前記係合位置に移動自在であり、
前記入れ子ロックバーは、前記係合位置にあるとき、前記ロック部材が前記ロック位置から移動することを制限するように構成されているものであり、
前記第２の管部が前記第３の管部内に引き込まれた時点で、前記入れ子ロックバーは、前記トリガー支柱により前記係合解除位置に移動自在となり、それにより、前記第１の管部が前記第２の管部内に引き込まれるとき、前記ロック部材は前記ロック解除位置に移動することが可能となるものである、
入れ子式マスト。
【請求項８】
請求項７記載の入れ子式マストにおいて、さらに、
前記ロック部材に連結され、前記ロック部材とともに移動するスライド式入れ子ロック部材を有し、当該スライド式入れ子ロック部材は、前記ロック部材が前記ロック位置にあるときにロック解除位置となり、前記ロック部材が前記ロック解除位置にあり前記第２の管部が前記第３の管部に完全に引き込まれたときにロック位置となるように構成されていいるものである、入れ子式マスト。
【請求項９】
請求項７または８記載の入れ子式マストにおいて、前記スライド式入れ子ロック部材は、前記ラッチハウジング内で直線的にスライド移動するように支持され、前記ロック位置にあるとき前記トリガー部材に係合するように構成されるものである、入れ子式マスト。
【請求項１０】
請求項７〜９のいずれか１つに記載の入れ子式マストにおいて、前記ロック部材は、前記ロック解除位置に向かって付勢されるものである、入れ子式マスト。
【請求項１１】
請求項７〜１０のいずれか１つに記載の入れ子式マストにおいて、前記入れ子ロックバーは、前記係合解除位置に向かって付勢されるものである、入れ子式マスト。
【請求項１２】
請求項７〜１１のいずれか１つに記載の入れ子式マストにおいて、前記ラッチハウジングは、当該ラッチハウジングを前記付随する第２の管部に固定する取り付け用フランジを含むものである、入れ子式マスト。
【請求項１３】
請求項７〜１２のいずれか１つに記載の入れ子式マストにおいて、前記ラッチハウジングは、さらに、第２のトリガー部材を含むものであり、
前記トリガー部材は、隣接した付随する管部に取り付けられたラッチ部材のスライド式入れ子ロック部材を受容するアパーチャを含むものである、
入れ子式マスト。
【請求項１４】
複数の管部を有する入れ子式マストに使用するラッチであって、
管部に取り付け可能であり、トリガー部材を受容するように構成された開口部を有するラッチハウジングと、
前記ラッチハウジングに支持され、ロック解除位置とロック位置との間で枢動するロック部材と、
前記ラッチハウジングに支持され、係合位置と係合解除位置との間で枢動する入れ子ロックバーと
を有し、
前記ロック部材は、付随する隣接した管部が、前記ハウジングが取り付けられた、付随する隣接した管部から延長されるとき、前記付随する隣接した管部のラッチ部材により前記ロック解除位置から前記ロック位置に移動自在であり、
前記ロック部材は、前記付随する隣接した管部が引き込まれることにより、前記ロック位置から前記ロック解除位置に移動自在であり、
前記入れ子ロックバーは、前記係合位置に付勢され、付随する隣接した管部に取り付けられた付随するトリガー部材により前記係合位置に移動自在であり、
前記入れ子ロックバーは、前記係合位置にあるとき、前記ロック部材が前記ロック位置から移動することを制限するように構成されているものである、
ラッチ。
【請求項１５】
請求項１４記載のラッチにおいて、前記ロック部材は、前記ロック解除位置に向かって付勢されるものであり、
前記入れ子ロックバーは、前記係合解除位置に向かって付勢されるものであり、および／または前記ラッチハウジングは、さらに、第２のトリガー部材を含むものである、
ラッチ。
【手続補正２】
【補正対象書類名】明細書
【補正対象項目名】００１０
【補正方法】変更
【補正の内容】
【００１０】
現行のロック設計は、傾向として、大きな音を立て、広いスペースを必要とし、手作業での係合を必要とし、および／または別個の電源を必要とする。また、ロック設計の多くは、延長位置にある管しかロックしない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１５／００５００７０号明細書
（特許文献２）  米国特許第３，６８８，４５５号明細書
（特許文献３）  米国特許第５，２１８，３７５号明細書
（特許文献４）  米国特許出願公開第２０１３／０２３９４９０号明細書
（特許文献５）  国際公開第９３／０７３９５号
（特許文献６）  米国特許第２，８４９，２４９号明細書
（特許文献７）  米国特許第３，２４８，８３１号明細書
（特許文献８）  米国特許第４，０２９，２７９号明細書
（特許文献９）  米国特許第４，４３４，９７０号明細書
（特許文献１０）  米国特許第４，８７１，１３８号明細書
（特許文献１１）  米国特許第５，１０１，２１５号明細書
（特許文献１２）  米国特許第５，３１４，１５７号明細書
（特許文献１３）  米国特許第５，６９７，４１７号明細書
（特許文献１４）  米国特許第６，１５２，６３８号明細書
（特許文献１５）  米国特許第６，８３７，６４２号明細書
（特許文献１６）  米国特許第６，８５４，６９７号明細書
（特許文献１７）  米国特許出願公開第２００７／０１０８７５６号明細書
（特許文献１８）  米国特許出願公開第２００７／０２５２０６７号明細書
（特許文献１９）  米国特許第７，２９３，９３４号明細書
（特許文献２０）  米国特許第７，３７４，３８０号明細書
（特許文献２１）  米国特許第２０１０／０１８７３７５号明細書
（特許文献２２）  米国特許第８，００２，２４２  Ｂ２号明細書
（特許文献２３）  米国特許第８，１２８，３０６  Ｂ２号明細書
（特許文献２４）  米国特許出願公開第２０１２／０２０５５１０号明細書
（特許文献２５）  米国特許出願公開第２０１５／００５００７０号明細書
（特許文献２６）  米国特許出願公開第２０１５／０２１１２５０号明細書
（非特許文献）
（非特許文献１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｄａｔｅｄ  Ｍａｒｃｈ  ７，２０１７
【手続補正３】
【補正対象書類名】明細書
【補正対象項目名】００１４
【補正方法】変更
【補正の内容】
【００１４】
さらに別の観点によれば、複数の管部を有する入れ子式マストに使用するラッチは、管部に取り付け可能であり、トリガー部材を受容するように構成された開口部を有するラッチハウジングと、前記ラッチハウジングに支持され、ロック解除位置とロック位置との間で枢動するロック部材と、前記ラッチハウジングに支持され、係合位置と係合解除位置間で枢動する入れ子ロックバーとを有する。前記ロック部材は、付随する隣接した管部が、前記ハウジングが取り付けられた、付随する隣接した管部から延長されるとき、前記付随する隣接した管部の前記ラッチ部材により前記ロック解除位置から前記ロック位置に移動自在であり、前記ロック部材は、前記付随する隣接した管部が引き込まれることにより、前記ロック位置から前記ロック解除位置に移動自在である。前記入れ子ロックバーは、前記係合位置に付勢され、付随するトリガー部材により前記係合位置に移動自在であり、前記入れ子ロックバーは、前記係合位置にあるとき、前記ロック部材が前記ロック位置から移動することを制限するように構成される。